(57)【要約】【課題】カード搬送路でカードを搬送するための搬送ローラとしてゴム輪と芯部材とを有するゴムローラを備えるカードリーダにおいて、搬送ローラの組立時にゴム輪を芯部材に容易に嵌めることが可能であっても、組立後のカードリーダでゴム輪が芯部材から外れるのを防止することが可能なカードリーダを提供する。【解決手段】このカードリーダでは、カード搬送路でカードを搬送するための搬送ローラ１４は、円環状に形成されるゴム輪１６と、ゴム輪１６を保持する芯部材１７とを備えている。また、このカードリーダは、芯部材１７が固定される回転軸１８と、回転軸１８の軸方向において芯部材１７からのゴム輪１６の抜けを防止するための抜止め部材２２とを備えている。抜止め部材２２は、搬送ローラ１４および回転軸１８と別体で形成されており、回転軸１８の径方向の外側から芯部材１７または回転軸１８に取り付けられている。【選択図】図２
2020181440.tif 000002
【特許請求の範囲】
【請求項１】
カード搬送路でカードを搬送するための搬送ローラを備えるカードリーダにおいて、
円環状に形成されるゴム製のゴム輪と前記ゴム輪の内周側で前記ゴム輪を保持する芯部材とを有する前記搬送ローラと、前記芯部材が固定される回転軸と、前記回転軸の軸方向において前記芯部材からの前記ゴム輪の抜けを防止するための抜止め部材とを備え、
前記抜止め部材は、前記搬送ローラおよび前記回転軸と別体で形成され、前記回転軸の径方向の外側から前記芯部材または前記回転軸に取り付けられていることを特徴とするカードリーダ。
【請求項２】
前記抜止め部材は、前記回転軸を挟んだ状態で配置される２個の抜止め部と、２個の前記抜止め部の一端部同士を繋ぐとともに前記芯部材および前記回転軸の少なくともいずれか一方に固定される被固定部とを備え、
前記回転軸の軸方向から見たときの前記抜止め部材の形状は、Ｃ形状またはＵ形状となっていることを特徴とする請求項１記載のカードリーダ。
【請求項３】
前記抜止め部は、前記ゴム輪の端面に対向配置される平板状に形成されていることを特徴とする請求項２記載のカードリーダ。
【請求項４】
前記カード搬送路が形成される本体フレームを備え、
前記抜止め部材は、前記回転軸の軸方向において前記ゴム輪の一方側に配置され、
前記本体フレームには、前記回転軸の軸方向において前記ゴム輪の他方側に配置され前記ゴム輪の端面に対向する壁面が形成されていることを特徴とする請求項１から３のいずれかに記載のカードリーダ。
【請求項５】
前記抜止め部材は、前記芯部材を前記回転軸に固定するためのネジによって前記芯部材および前記回転軸に固定されていることを特徴とする請求項１から４のいずれかに記載のカードリーダ。
【発明の詳細な説明】
【技術分野】
【０００１】
本発明は、カード搬送路でカードを搬送するための搬送ローラを備えるカードリーダに関する。
【背景技術】
【０００２】
従来、カードに記録された磁気データの読取りやカードへの磁気データの記録を行うカードリーダが知られている（たとえば、特許文献１参照）。特許文献１に記載のカードリーダは、カードリーダの内部でカードを搬送するための搬送ローラとして、たとえば、図６に示す搬送ローラ１０１を備えている。搬送ローラ１０１は、搬送ローラ１０１の外周面を構成する円環状のゴム輪１０２と、ゴム輪１０２の内周側でゴム輪１０２を保持する芯部材１０３とから構成されており、芯部材１０３の外周面にゴム輪１０２の内周面が接着されて固定されている。芯部材１０３は、回転軸に固定されている。
【先行技術文献】
【特許文献】
【０００３】
【特許文献１】特開平８−３１５０８０号公報
【発明の概要】
【発明が解決しようとする課題】
【０００４】
図６に示す搬送ローラ１０１では、芯部材１０３の外周面にゴム輪１０２の内周面が接着されて固定されているため、ゴム輪１０２と芯部材１０３との間の接着力にばらつきが生じると、ゴム輪１０２の内周面が芯部材１０３の外周面から剥離して、回転軸の軸方向に芯部材１０３からゴム輪１０２が外れるおそれがある。また、芯部材１０３からゴム輪１０２が外れると、カードリーダの内部でカードが搬送できなくなってカードが詰まる等の様々な不具合が発生するおそれがある。
【０００５】
回転軸の軸方向に芯部材１０３からゴム輪１０２が外れるのを防止するためには、ゴム輪１０２の端面に接触する円環状の鍔部を芯部材１０３に形成すれば良い。しかしながら、ゴム輪１０２の端面に接触する円環状の鍔部が芯部材１０３に形成されていると、搬送ローラ１０１の組立時にゴム輪１０２を芯部材１０３に嵌めにくくなる。
【０００６】
そこで、本発明の課題は、カード搬送路でカードを搬送するための搬送ローラとしてゴム輪と芯部材とを有するゴムローラを備えるカードリーダにおいて、搬送ローラの組立時にゴム輪を芯部材に容易に嵌めることが可能であっても、組立後のカードリーダでゴム輪が芯部材から外れるのを防止することが可能なカードリーダを提供することにある。
【課題を解決するための手段】
【０００７】
上記の課題を解決するため、本発明のカードリーダは、カード搬送路でカードを搬送するための搬送ローラを備えるカードリーダにおいて、円環状に形成されるゴム製のゴム輪とゴム輪の内周側でゴム輪を保持する芯部材とを有する搬送ローラと、芯部材が固定される回転軸と、回転軸の軸方向において芯部材からのゴム輪の抜けを防止するための抜止め部材とを備え、抜止め部材は、搬送ローラおよび回転軸と別体で形成され、回転軸の径方向の外側から芯部材または回転軸に取り付けられていることを特徴とする。
【０００８】
本発明のカードリーダでは、回転軸の軸方向において芯部材からのゴム輪の抜けを防止するための抜止め部材は、搬送ローラおよび回転軸と別体で形成されており、回転軸の径方向の外側から芯部材または回転軸に取り付けられている。そのため、本発明では、抜止め部材が取り付けられていない状態で搬送ローラを組み立てた後に（すなわち、ゴム輪を芯部材に嵌めた後に）、回転軸の径方向の外側から芯部材または回転軸に抜止め部材を取り付けることが可能になる。したがって、本発明では、搬送ローラの組立時にゴム輪を芯部材に容易に嵌めることが可能であっても、組立後のカードリーダにおいて、抜止め部材によって、ゴム輪が芯部材から外れるのを防止することが可能になる。
【０００９】
また、本発明では、回転軸の径方向の外側から芯部材または回転軸に抜止め部材が取り付けられているため、搬送ローラが回転軸に取り付けられた状態でも、芯部材または回転軸に抜止め部材を取り付けることが可能になる。したがって、本発明では、たとえば、抜止め部材が取り付けられていないカードリーダが市場に設置された後に、ゴム輪が芯部材から外れるのを防止したいとのニーズが発生した場合に、搬送ローラを回転軸から取り外すことなく、芯部材または回転軸に抜止め部材を取り付けることが可能になる。その結果、本発明では、たとえば、抜止め部材が取り付けられていない状態で市場に設置されたカードリーダに抜止め部材を後付けする場合であっても、抜止め部材を容易に取り付けることが可能になる。
【００１０】
本発明において、たとえば、抜止め部材は、回転軸を挟んだ状態で配置される２個の抜止め部と、２個の抜止め部の一端部同士を繋ぐとともに芯部材および回転軸の少なくともいずれか一方に固定される被固定部とを備え、回転軸の軸方向から見たときの抜止め部材の形状は、Ｃ形状またはＵ形状となっている。
【００１１】
本発明において、抜止め部は、ゴム輪の端面に対向配置される平板状に形成されていることが好ましい。このように構成すると、平板状に形成される抜止め部によって、ゴム輪が芯部材から外れるのを効果的に防止することが可能になる。
【００１２】
本発明において、カードリーダは、カード搬送路が形成される本体フレームを備え、抜止め部材は、回転軸の軸方向においてゴム輪の一方側に配置され、本体フレームには、回転軸の軸方向においてゴム輪の他方側に配置されゴム輪の端面に対向する壁面が形成されていることが好ましい。このように構成すると、本体フレームに形成される壁面によって、回転軸の軸方向における他方側に芯部材からゴム輪が外れるのを防止することが可能になる。したがって、回転軸の軸方向においてゴム輪の両側に抜止め部材が配置されている場合と比較して、カードリーダの構成を簡素化することが可能になる。
【００１３】
本発明において、抜止め部材は、芯部材を回転軸に固定するためのネジによって芯部材および回転軸に固定されていることが好ましい。このように構成すると、芯部材を回転軸に固定するためのネジとは別に設けられた固定手段によって、芯部材および回転軸に抜止め部材が固定されている場合や、芯部材に芯部材を回転軸に固定するためのネジとは別に設けられた固定手段によって、芯部材または回転軸に抜止め部材が固定されている場合と比較して、カードリーダの構成を簡素化することが可能になる。
【発明の効果】
【００１４】
以上のように、本発明では、カード搬送路でカードを搬送するための搬送ローラとしてゴム輪と芯部材とを有するゴムローラを備えるカードリーダにおいて、搬送ローラの組立時にゴム輪を芯部材に容易に嵌めることが可能であっても、組立後のカードリーダでゴム輪が芯部材から外れるのを防止することが可能になる。
【図面の簡単な説明】
【００１５】
【図１】本発明の実施の形態にかかるカードリーダの構成を説明するための概略側面図である。
【図２】図１に示す搬送ローラおよび搬送ローラの周辺部分の構成を説明するための平面図である。
【図３】図２に示す搬送ローラおよび抜止め部材の斜視図である。
【図４】図３に搬送ローラおよび抜止め部材の側面図である。
【図５】図２に示す抜止め部材の斜視図である。
【図６】従来技術にかかる搬送ローラの斜視図である。
【発明を実施するための形態】
【００１６】
以下、図面を参照しながら、本発明の実施の形態を説明する。
【００１７】
（カードリーダの全体構成）
図１は、本発明の実施の形態にかかるカードリーダ１の構成を説明するための概略側面図である。
【００１８】
本形態のカードリーダ１は、カード２に記録されたデータの読取りやカード２へのデータの記録を行うための装置である。カードリーダ１は、カード２を搬送するカード搬送機構３を備えるカード搬送式のカードリーダである。カードリーダ１の内部には、カード２が搬送されるカード搬送路４が形成されている。カードリーダ１は、カード搬送路４が形成される本体フレーム５を備えている。また、カードリーダ１は、たとえば、カード２に記録された磁気データの読取りおよびカード２への磁気データの記録の少なくともいずれか一方を行う磁気ヘッド６、７を備えている。
【００１９】
カード２は、たとえば、厚さが０．７〜０．８ｍｍ程度の矩形状の塩化ビニール製のカードである。カード２には、磁気データが記録される磁気ストライプが形成されている。なお、カード２には、ＩＣチップが内蔵されていても良い。また、カード２は、厚さが０．１８〜０．３６ｍｍ程度のＰＥＴ（ポリエチレンテレフタレート）カードや、所定の厚さの紙カード等であっても良い。
【００２０】
本形態では、カード搬送路４において、図１のＸ方向にカード２が搬送される。すなわち、Ｘ方向は、カード２の搬送方向である。また、Ｘ方向に直交する図１のＺ方向は、カード搬送路４で搬送されるカード２の厚さ方向であり、Ｘ方向とＺ方向とに直交する図１のＹ方向は、カード搬送路４で搬送されるカード２の幅方向（短手幅方向）である。以下の説明では、Ｘ方向を前後方向とし、Ｙ方向を左右方向とし、Ｚ方向を上下方向とする。
【００２１】
本体フレーム５の前端には、カード２が挿入されるとともに排出されるカード挿入口１０が形成されている。カード搬送路４の前端は、カード挿入口１０に繋がっている。磁気ヘッド６は、下側からカード搬送路４に臨むように配置され、磁気ヘッド７は、上側からカード搬送路４に臨むように配置されている。
【００２２】
カード搬送機構３は、複数の搬送ローラ対１２を備えている。複数の搬送ローラ対１２は、たとえば、左右方向におけるカード搬送路４の略中心位置に配置されるとともに、前後方向に所定の間隔をあけた状態で配置されている。搬送ローラ対１２は、カード搬送路４でカード２を搬送するための搬送ローラ１４と、搬送ローラ１４に対向配置されるパッドローラ１５とによって構成されている。搬送ローラ１４は、下側からカード搬送路４に臨むように配置されており、カード２の下面に接触する。パッドローラ１５は、カード搬送路４に上側から臨んでおり、カード２の上面に接触する。
【００２３】
カード２は、搬送ローラ１４とパッドローラ１５とに挟まれた状態で搬送される。以下、搬送ローラ１４および搬送ローラ１４の周辺部分の具体的な構成については説明する。なお、本形態では、搬送ローラ１４とパッドローラ１５との芯間距離が一定になっている。ただし、パッドローラ１５が搬送ローラ１４に向かって付勢されていて、搬送ローラ１４とパッドローラ１５との芯間距離が一定になっていなくても良い。
【００２４】
（搬送ローラおよび搬送ローラの周辺部分の構成）
図２は、図１に示す搬送ローラ１４および搬送ローラ１４の周辺部分の構成を説明するための平面図である。図３は、図２に示す搬送ローラ１４および抜止め部材２２の斜視図である。図４は、図３に搬送ローラ１４および抜止め部材２２の側面図である。図５は、図２に示す抜止め部材２２の斜視図である。
【００２５】
搬送ローラ１４は、搬送ローラ１４の外周部を構成するゴム製のゴム輪１６と、ゴム輪１６を保持する芯部材（芯金）１７とから構成されるゴムローラである。搬送ローラ１４は、搬送ローラ１４の回転中心になる回転軸１８に固定されている。具体的には、芯部材１７が回転軸１８に固定されている。芯部材１７は、ネジ１９によって回転軸１８に固定されている。回転軸１８には、ネジ１９の軸部が挿通される貫通穴が形成されている。この貫通穴は、回転軸１８の径方向で回転軸１８を貫通している。
【００２６】
回転軸１８は、回転軸１８の軸方向と左右方向とが一致するように配置されている。すなわち、左右方向（Ｙ方向）は、回転軸１８の軸方向であり、搬送ローラ１４は、左右方向を回転の軸方向として回転する。回転軸１８は、軸受２０に回転可能に支持されている。軸受２０は、本体フレーム５の一部を構成する支持部材２１に取り付けられている。すなわち、回転軸１８は、軸受２０を介して本体フレーム５に回転可能に支持されている。支持部材２１は、たとえば、左右方向に直交する平板状に形成されている。回転軸１８は、プーリおよびベルト等の動力伝達機構を介してモータに連結されている。
【００２７】
ゴム輪１６は、円環状に形成されている。具体的には、ゴム輪１６は、扁平な円筒状に形成されている。芯部材１７は、金属で形成されている。具体的には、芯部材１７は、アルミニウム合金で形成されている。芯部材１７は、ゴム輪１６の内周側でゴム輪１６を保持する円筒状の基部１７ａと、基部１７ａから左右方向の一方側へ突出する円筒状のボス部１７ｂとから構成されており、段付きの円筒状に形成されている。芯部材１７の内周側には、回転軸１８が挿通されている。
【００２８】
基部１７ａの外径は、ボス部１７ｂの外径よりも大きくなっている。基部１７ａの外周面には、ゴム輪１６の内周面が接触している。ゴム輪１６は、基部１７ａの外周面に塗布される接着剤によって基部１７ａに固定されている。すなわち、ゴム輪１６は、基部１７ａに接着されて固定されている。図３に示すように、ボス部１７ｂには、ネジ１９の軸部が挿通される貫通穴１７ｃと、ネジ１９のオネジが螺合するネジ穴１７ｄとが形成されている。
【００２９】
芯部材１７には、左右方向において芯部材１７からのゴム輪１６の抜け（具体的には、基部１７ａからのゴム輪１６の抜け）を防止するための抜止め部材２２が固定されている。抜止め部材２２は、搬送ローラ１４および回転軸１８と別体で形成されている。抜止め部材２２は、鋼板等の金属板を所定形状に折り曲げることで形成されている。抜止め部材２２は、回転軸１８を挟んだ状態で配置される２個の抜止め部２２ａと、２個の抜止め部２２ａの一端部同士を繋ぐ被固定部２２ｂとを備えている。
【００３０】
抜止め部２２ａは、平板状に形成されている。具体的には、抜止め部２２ａは、左右方向に直交する平板状に形成されている。被固定部２２ｂは、平板状に形成されている。具体的には、被固定部２２ｂは、抜止め部２２ａに直交する平板状に形成されている。本形態の抜止め部材２２は、２個の抜止め部２２ａと被固定部２２ｂとから構成されており、左右方向から見たときの抜止め部材２２の形状は、Ｃ形状またはＵ形状（コの字状）となっている。すなわち、抜止め部材２２は、抜止め部２２ａの他端部において開口している。
【００３１】
被固定部２２ｂの一方の面は、ボス部１７ｂの外周面に接触している。２個の抜止め部２２ａは、ボス部１７ｂを挟んだ状態で配置されている。抜止め部２２ａの、被固定部２２ｂ側の端部を基端部とし、抜止め部２２ａの、基端部の反対側の端部を先端部とすると、２個の抜止め部２２ａの先端部の間隔は、２個の抜止め部２２ａの基端部の間隔よりも広くなっている。２個の抜止め部２２ａの、ボス部１７ｂ側の端面の一部は、ボス部１７ｂの外周面に接触する曲面となっている。
【００３２】
被固定部２２ｂには、ネジ１９の軸部が挿通される貫通穴２２ｃが形成されている。被固定部２２ｂは、ネジ１９によって芯部材１７および回転軸１８に固定されている。すなわち、抜止め部材２２は、芯部材１７を回転軸１８に固定するためのネジ１９によって芯部材１７および回転軸１８に固定されている。
【００３３】
抜止め部２２ａは、ゴム輪１６の一方の端面に対向配置されている。具体的には、抜止め部２２ａは、ゴム輪１６の、ボス部１７ｂ側の端面の一部分に対向配置されている。また、抜止め部２２ａは、基部１７ａの、ボス部１７ｂ側の端面に対向配置されている。抜止め部２２ａとゴム輪１６との左右方向の間隔は、ゴム輪１６の幅（左右方向の幅）よりも狭くなっている。抜止め部２２ａは、芯部材１７からのゴム輪１６の抜けを防止する機能を果たしている。
【００３４】
上述のように、２個の抜止め部２２ａは、ボス部１７ｂを挟んだ状態で配置されており、２個の抜止め部２２ａの、ボス部１７ｂ側の端面の一部は、ボス部１７ｂの外周面に接触する曲面となっている。また、左右方向から見たときの形状がＣ形状またはＵ形状となっている抜止め部材２２は、回転軸１８の径方向の外側からボス部１７ｂに取り付けられている。すなわち、抜止め部材２２は、回転軸１８の径方向の外側から芯部材１７に取り付けられている。具体的には、抜止め部材２２は、抜止め部２２ａの先端部側からボス部１７ｂに差し込まれてボス部１７ｂに取り付けられている。
【００３５】
また、上述のように、２個の抜止め部２２ａは、ボス部１７ｂを挟んだ状態で配置されており、抜止め部材２２は、左右方向においてゴム輪１６の一方側に配置されている。左右方向におけるゴム輪１６の他方側には、本体フレーム５の一部を構成するガイド部材２４が配置されている。ガイド部材２４は、たとえば、左右方向に直交する平板状に形成されている。
【００３６】
ガイド部材２４の、ゴム輪１６側の面は、ゴム輪１６の端面に対向する平面状の壁面２４ａとなっている。すなわち、本体フレーム５には、ゴム輪１６の端面に対向する壁面２４ａが形成されている。壁面２４ａは、基部１７ａの端面にも対向している。壁面２４ａとゴム輪１６との左右方向の間隔は、ゴム輪１６の幅（左右方向の幅）よりも狭くなっている。壁面２４ａは、芯部材１７からのゴム輪１６の抜けを防止する機能を果たしている。
【００３７】
（本形態の主な効果）
以上説明したように、本形態では、芯部材１７からのゴム輪１６の抜けを防止するための抜止め部材２２は、搬送ローラ１４および回転軸１８と別体で形成されている。また、本形態では、左右方向から見たときの形状がＣ形状またはＵ形状となっている抜止め部材２２が回転軸１８の径方向の外側から芯部材１７に取り付けられている。そのため、本形態では、抜止め部材２２が取り付けられていない状態で搬送ローラ１４を組み立てた後に（すなわち、ゴム輪１６を芯部材１７に嵌めた後に）、回転軸１８の径方向の外側から抜止め部材２２を取り付けることが可能になる。したがって、本形態では、搬送ローラ１４の組立時にゴム輪１６を芯部材１７に容易に嵌めることが可能であっても、組立後のカードリーダ１において、抜止め部材２２によって、ゴム輪１６が芯部材１７から外れるのを防止することが可能になる。
【００３８】
また、本形態では、回転軸１８の径方向の外側から芯部材１７に抜止め部材２２が取り付けられているため、搬送ローラ１４を回転軸１８から取り外さなくても、ネジ１９を着脱することで、芯部材１７に抜止め部材２２を取り付けることが可能になる。したがって、本形態では、たとえば、抜止め部材２２が取り付けられていないカードリーダ１が市場に設置された後に、ゴム輪１６が芯部材１７から外れるのを防止したいとのニーズが発生した場合に、搬送ローラ１４を回転軸１８から取り外すことなく、芯部材１７に抜止め部材２２を取り付けることが可能になる。その結果、本形態では、たとえば、抜止め部材２２が取り付けられていない状態で市場に設置されたカードリーダ１に抜止め部材２２を後付けする場合であっても、抜止め部材２２を容易に取り付けることが可能になる。
【００３９】
なお、抜止め部材２２が取り付けられていない状態で市場に設置されたカードリーダ１において、ゴム輪１６の内周面が芯部材１７の基部１７ａの外周面から剥離しても、本形態のカードリーダ１の場合、搬送ローラ１４によるカード２の搬送力は低下するものの、搬送ローラ１４によってカード２を搬送することが可能である。したがって、本形態では、抜止め部材２２が取り付けられていない状態で市場に設置されたカードリーダ１において、ゴム輪１６の内周面が基部１７ａの外周面から剥離した場合に、抜止め部材２２を後付けすることで、短時間でカードリーダ１の応急処置を行うことが可能になる。
【００４０】
本形態では、左右方向におけるゴム輪１６の一方側では、抜止め部材２２によって、芯部材１７からのゴム輪１６の抜けが防止されているが、左右方向におけるゴム輪１６の他方側では、本体フレーム５に形成される壁面２４ａによって、芯部材１７からのゴム輪１６の抜けが防止されている。そのため、本形態では、ゴム輪１６の左右方向の両側で、抜止め部材２２によって、芯部材１７からのゴム輪１６の抜けが防止されている場合と比較して、カードリーダ１の構成を簡素化することが可能になる。
【００４１】
本形態では、抜止め部材２２は、芯部材１７を回転軸１８に固定するためのネジ１９によって芯部材１７および回転軸１８に固定されている。そのため、本形態では、ネジ１９とは別に設けられた固定手段によって、芯部材１７および回転軸１８に抜止め部材２２が固定されている場合や、ネジ１９とは別に設けられた固定手段によって、芯部材１７または回転軸１８に抜止め部材２２が固定されている場合と比較して、カードリーダ１の構成を簡素化することが可能になる。
【００４２】
本形態では、ゴム輪１６の端面に対向配置される抜止め部２２ａが平板状に形成されている。そのため、本形態では、平板状に形成される抜止め部２２ａによって、ゴム輪１６が芯部材１７から外れるのを効果的に防止することが可能になる。
【００４３】
（他の実施の形態）
上述した形態は、本発明の好適な形態の一例ではあるが、これに限定されるものではなく本発明の要旨を変更しない範囲において種々変形実施が可能である。
【００４４】
上述した形態において、ネジ１９とは別に設けられたネジによって、抜止め部材２２が芯部材１７および回転軸１８に固定されていても良い。また、ネジ１９とは別に設けられたネジによって、抜止め部材２２が芯部材１７に固定されていても良いし、抜止め部材２２が回転軸１８に固定されていても良い。また、上述した形態において、ネジ以外の固定手段によって、芯部材１７および回転軸１８に抜止め部材２２が固定されていても良いし、芯部材１７または回転軸１８に抜止め部材２２が固定されていても良い。
【００４５】
たとえば、抜止め部材２２の弾性変形を利用したスナップフィットによって、抜止め部材２２が芯部材１７または回転軸１８に固定されていても良い。抜止め部材２２が回転軸１８に固定されている場合には、抜止め部材２２は、回転軸１８の径方向の外側から回転軸１８に取り付けられている。
【００４６】
上述した形態において、パッドローラ１５は、搬送ローラ１４と同様に構成されていても良い。すなわち、パッドローラ１５は、ゴム輪１６と芯部材１７とから構成されるとともに、回転軸１８に固定されていても良い。この場合には、パッドローラ１５の一部を構成する芯部材１７に抜止め部材２２が取り付けられている。また、上述した形態において、ゴム輪１６の左右方向の両側に抜止め部材２２が配置されていても良い。この場合には、たとえば、本体フレーム５にガイド部材２４が形成されていない。
【００４７】
なお、プーリに掛けられたベルトがプーリに対してずれてしまったり、プーリから外れてしまったりするのを防止するために、抜止め部材２２と同様に構成される抜止め部材をプーリに固定することも可能である。
【符号の説明】
【００４８】
１  カードリーダ
２  カード
４  カード搬送路
５  本体フレーム
１４  搬送ローラ
１６  ゴム輪
１７  芯部材
１８  回転軸
１９  ネジ
２２  抜止め部材
２２ａ  抜止め部
２２ｂ  被固定部
２４ａ  壁面
Ｙ  回転軸の軸方向
【図１】
2020181440.tif 000003
【図２】
2020181440.tif 000004
【図３】
2020181440.tif 000005
【図４】
2020181440.tif 000006
【図５】
2020181440.tif 000007
【図６】
2020181440.tif 000008